(57)【要約】      （修正有）【課題】極めて簡易な方法で作成できる盆栽鉢であり、特に遠赤外線効果が期待でき、大形状のものから小形状のものにいたるものとして最適な盆栽鉢である。【解決手段】粘土製の所定厚み有するほぼ円盤状上蓋体２と、これほぼ同一のほぼ下蓋体３とからなり、前記上蓋体２が適宜山形状体に被覆した後、ある程度硬くなりかつ固めた新聞紙などを山形状体内に埋め込み、下蓋体３の上に上蓋体２を被せた後、前記上蓋体２の適宜個所に一又は複数個の樹木類７を植える苗穴８を設け、素焼きと色付けとを付したり、本焼きを施してなる盆栽鉢１である。【選択図】図１
0003106073.tif 000002
【実用新案登録請求の範囲】
【請求項１】
粘土を介して所定厚みを有するほぼ円盤状上蓋体と、
ほぼ同一の所定厚みを有する適宜山形状体の下蓋体とからなり、
前記上蓋体は該下蓋体に被覆させると共に、前記上蓋体がある程度硬くなった段階において、固めた新聞紙などを下蓋体内に複数個埋め込んだ後に、新聞紙などを下蓋体から取り外し、前記上蓋体の適宜個所に一又は複数個の樹木類及び砂等とを植える苗穴を設けた後、
前記上蓋体に山形状体の凹凸模様等を付けた上、素焼きと色付けとを施してなることを特徴とする盆栽鉢。
【請求項２】
素焼きと色付けの他に本焼きを施してなることを特徴とする請求項１記載の盆栽鉢。
【請求項３】
上蓋体の適宜個所に小形状の空気穴や水抜きを複数個設けてなることを特徴とする請求項１又は２記載の盆栽鉢。
【請求項４】
素焼きの温度は、ほぼ５００°Ｃからほぼ７００°Ｃであることを特徴とする請求項１，２又は３記載の盆栽鉢。
【請求項５】
本焼きの温度は、ほぼ１２５０°Ｃ〜ほぼ１３００°Ｃであることを特徴とする請求項１，２，３又は４記載の盆栽鉢。
【考案の詳細な説明】
【技術分野】
【０００１】
本考案は、極めて簡易な方法で作成でき、特に遠赤外線効果が期待できる盆栽鉢であり、盆栽用鉢として最適なものであり、大形状のものから小形状のものにいたるまでの盆栽鉢として最適なものである。
【背景技術】
【０００２】
従来、盆栽鉢として大形状なものから小形状にいたるものまで存在している。しかも、金額的に比較的安価なものから高価なものに至るものまで多用なものがある。また、一般的に最初は安価なものを購入しても時間や腕などが経過したり、対象物である植物類が多くなったりすると、どうしても高価な鉢類に目移りしてしまうものである。
【０００３】
一方、稀には自己の力を信じて自力で各種形状の鉢類を作成しているが、大部分は自己満足に過ぎず、他人に対して自慢できるようなものは極めて少ない。
【０００４】
【特許文献１】特開平８−９４号公報
【特許文献２】特開平２００１−６９８５７号公報
【考案の開示】
【考案が解決しようとする課題】
【０００５】
盆栽鉢として、図４に示す特開平８−９４号や図５に示す特開２００１−６９８５７号の発明が知られている。前者の鑑賞用植栽擬岩５０は、合成樹脂材で所定形状の中締体５１を形成し、この中締体５１に保水材５２を充填すると共に、自然石表面に近似したテクスチャーの表面形成体５３をその外側面に取着してなる擬石本体５４を設けている。
そして、この擬石本体５４の表面形成体５３の取着部分に一若しくはそれ以上の植栽床用凹部５５を設け、この凹部５５に設けた通孔５６を介して中締体５１の内部と外部とを連通しており、鑑賞用植栽擬岩５０では、自然石の質感を損なうことなく軽量で保水性が良く保持管理の容易化も図ることができる。５７は植土である。
【０００６】
後者の特開２００１−６９８５７号は、表面が自然石状を呈していてかつ植物が自然に着床して育成しているような鑑賞可能である植栽擬石であり、前記先願例である特開平８−９４号の欠陥を工夫している。
【０００７】
つまり、自然石に近似した外観を備えた植栽擬石６０において、内部を中空部６１とすると共に、擬石本体６２の表面に一又は複数の凹部６３を設け、この凹部６３は植木鉢６４を収納可能な態様に形成したことを特徴としている。６５は隙間、６６は水抜き穴、６７は穴部分である。
【０００８】
しかしながら、前記従来例の特開平８−９４号には、擬石として合成樹脂材が例示されている。また、特開２００１−６９８５７号には、天然石の質感があってかつ軽量であれば良くとあり、特に限定されないはずであるが、植栽擬岩とあるため、石ではないことだけは確かである。
このため、どうしても石本来の味わいや風格などがでない欠陥が生じてしまう。
【０００９】
このような目的を達成するためになされたものが本考案であり、本考案に係る第一の考案は、意匠性に優れた多様な形状の盆栽鉢であり、第二の考案は、遠赤外線効果が期待でき、第三の考案は、山形状体には適宜形状の空気孔ができ、その成育が良好なものとなる。
そして、第四の考案は、大形状のものから小形状にいたる多様な形状の盆栽鉢であること、第五の考案は、廉価に比較的簡易に製造できる盆栽鉢であることを目的としている。
【課題を解決するための手段】
【００１０】
上記目的を達成するために、第一の考案は、粘土を介して所定厚みを有するほぼ円盤状上蓋体と、ほぼ同一の所定厚みを有する適宜山形形状の下蓋体とからなり、前記上蓋体は該下蓋体に被覆させると共に、前記上蓋体がある程度硬くなった段階において、固めた新聞紙などを下蓋体内に複数個埋め込んだ後に、新聞紙などを下蓋体から取り外し、前記上蓋体の適宜個所に一又は複数個の樹木類及び砂等とを植える苗穴を設けた後、前記上蓋体に山形状体の凹凸模様等を付けた上、素焼きと色付けとを施してなることを特徴とする。
【００１１】
第二の考案は、素焼きと色付けの他に本焼きを施してなることを特徴とする。
【００１２】
第三の考案は、上蓋体の適宜個所に小形状の空気穴や水抜きを複数個設けてなることを特徴とする。
【００１３】
第四の考案は、素焼きの温度は、ほぼ５００°Ｃからほぼ７００°Ｃであることを特徴とする。
【００１４】
第五の考案は、本焼きの温度は、ほぼ１２５０°Ｃ〜ほぼ１３００°Ｃであることを特徴とする。
【考案の効果】
【００１５】
本考案によれば、次のような効果を有する。
（１）本考案の２つの上蓋体とほぼ同一の下蓋体には、粘土を介して所定厚みを有するほぼ同一の素焼きを施してなるものであれば、強度的に強固となり、容易に壊れることがなく強固性が増すものである。特に、材料の粘土に砂等を混入すると、山の感じがでるものである。
さらに、山のあらゆる適宜個所に空気穴のようなものを設けることにより、その成育が優れ、良好な樹木類の成育が可能となるものである。
（２）特に、山形状体の本焼きまで施すことに所謂遠赤外線効果が期待できる。例えば、遠赤外線セラミックスで植物を活性化し長持ちさせる植物活性化を施している。これにより植物の発育が一年ほとで大きく変わり、良好な発育となる。そして、素焼きの鉢よりも本焼きの方が発育に差ができるし、本考案によれば、植えた樹木類が枯れにくいことになり、挿し木の場合には、根が付く確率が極めて良好なものとなる。また、樹木類を小さく育てるために、肥料を少なくしても極めて元気に発育するものである。
（３）山形状体の適宜個所には、任意な小形状の空気穴等を設けてあるから苔類の発育が極めて良く、しかも山形状体の鉢類が太陽光線を受けるため、遠赤外線効果が持続できると思われる。
（４）本考案の苗穴にも素焼きや本焼きとを施してなるものであるから強度的に強固となり、容易に壊れることがない。
（５）しかも、本考案の素焼きの温度は、ほぼ５００°Ｃからほぼ７００°Ｃであり、本焼きの温度は、ほぼ１２５０°Ｃ〜１３００°Ｃであれば、強度的に強固が増し、容易に壊れることがなく強固性が増すものである。
【考案を実施するための最良の形態】
【００１６】
本考案の実施形態を図面を参照して説明する。
図１は、本考案の実施形態を示す斜視図を示し、図２は、本考案の実施形態に至るまでの各斜視図を示し、図３は、本考案の実施形態前を示す説明図である。
図１に示すように、本考案の実施形態として本焼きを施してなる盆栽鉢１は、粘土を介して所定の厚みを有するほぼ円盤状上蓋体２と、この上蓋体２とほぼ同一の所定厚みを有しながらほぼ下蓋体３とからなっており、粘土の中に砂等を入れると、盆栽鉢１は自然的な山の感じがでるものである。また、中国、タイ、ベトナムのような国々で量産化する計画があります。
【００１７】
つまり、前記上蓋体２は、図２（ａ）（ｂ）のように粘土を介して所定の厚みを有してほぼ円盤状をなし、図２（ｃ）のように上部の上蓋体２はほぼ山形状体４を備えている。この粘土が乾燥状態（ある程度に上蓋体２が固くなった状態）になったら上蓋体２は、凸状体１４を介してよく押さえてあり、この状態は図２（ｄ）に示されている。
【００１８】
そして、図２（ｅ）のように、この凸状体１４を外した状態、或いは凸状体１４を外さない状態において（この図面は省略）、例えばある程度の形状の大きさに固めてある新聞紙５，５，…等を一杯に上蓋体２内に詰め込んだ上、上蓋体２の固さが強くなることを条件とした上、図２（ｆ）のように上蓋体２（山形状体４）内から新聞紙５，５，…等を取り除くと共に、前記上蓋体２の上から下蓋体３を被せる。このようにして図２（ｇ）のように、前記上蓋体２に適宜山形状体４を構成した山形状の上蓋体２があり、下蓋体３を被せてある。
【００１９】
その後、図３に示すように、下蓋体３の外端縁６を適宜形状に縁取り１３を行った上、前記上蓋体２の適宜個所に一又は複数個の木や花、草類などの樹木類７を植える苗穴８を設けた後、本焼き１１前の上蓋体１ａに凹凸などを設けて所要時間Ｔの間乾燥させた上、素焼き９と色付け１０とを施した上、本焼き１１を施してなるものである。なお、本焼き１１前の上蓋体１ａには、樹木類７は植え付けていない。しかし、素焼き９や色付け１０とを施す前の上蓋体１ａに樹木類７を植え付けてもよい
【００２０】
また、前記素焼き９の温度は、約５００°Ｃから約７００°Ｃであり、本焼き１１には、約１２５０°Ｃ〜約１３００°Ｃが望ましいものであるが、約１割程度の温度の差があっても特にかまわないものである。
【産業上の利用可能性】
【００２１】
本考案は、極めて簡易な方法で作成でき、特に遠赤外線効果が期待できる盆栽鉢であり、盆栽用鉢として最適なものであり、大形状のものから小形状のものにいたるまでの盆栽鉢として最適なものである。
【図面の簡単な説明】
【００２２】
【図１】本考案の実施形態を示す斜視図である。
【図２−１】本考案の実施形態に至るまでの各斜視図（ａ）〜（ｄ）である。
【図２−２】本考案の実施形態に至るまでの各斜視図（ｅ）〜（ｇ）である。
【図３】本考案の実施態様前を示す斜視図である。
【図４】従来例を示す斜視図である。
【図５】他の従来例を示す斜視図である。
【符号の説明】
【００２３】
１    盆栽鉢                        ２    上蓋体
３    下蓋体                        ４    山形状体
５    新聞紙                        ７    樹木類
８    苗穴                          ９    素焼き
１０    色づけ                      １１    本焼き
【図１】
0003106073.tif 000003
【図２−１】
0003106073.tif 000004
【図２−２】
0003106073.tif 000005
【図３】
0003106073.tif 000006
【図４】
0003106073.tif 000007
【図５】
0003106073.tif 000008